(57)【要約】【課題】本発明はスプーン型のルアーに関し、本体重量０．８〜４ｇの小型で軽いルアーに改良を加え、従来に比し釣果の向上を図ったルアーを提供することを目的とする。【解決手段】本体重量０．８〜４ｇのルアー本体からなるスプーン型のルアーに於て、上記ルアー本体を比重１４以上の材料で成形し、ルアー本体側面の投影面積（ｍｍ２）をルアー本体重量（ｇ）で除した値を、３０〜８０の範囲としたことを特徴とする。【選択図】　　　図２
2004033025.tif 000002
【特許請求の範囲】
【請求項１】
本体重量０．８〜４ｇのルアー本体からなるスプーン型のルアーに於て、
上記ルアー本体を比重１４以上の材料で成形し、
ルアー本体側面の投影面積（ｍｍ２）をルアー本体重量（ｇ）で除した値を、
３０〜８０の範囲としたことを特徴とするルアー。
【請求項２】
ルアー本体の前後長さの中央より後部側に、ルアー本体の最大幅部を設けたことを特徴とする請求項１記載のルアー。
【請求項３】
ルアー本体の肉厚を、０．８ｍｍ以上としたことを特徴とする請求項１または請求項２記載のルアー。
【請求項４】
ルアー本体に１以上の仕掛け止着孔を設けると共に、当該仕掛け止着孔の少なくとも１つの周縁部に、肉盛り部を設けたことを特徴とする請求項１乃至請求項３のいずれか１項に記載のルアー。
【発明の詳細な説明】
【０００１】
【発明の属する技術分野】
本発明は、ルアーフィッシングに用いるルアーに関する。
【０００２】
【従来の技術】
近年、釣人の増加に伴い、魚がルアーに警戒し興味を示さなくなる傾向があり、魚を釣ることが非常に難しくなっている。
特にこのような傾向は、一般釣場の他、管理釣場といわれる釣り堀タイプの釣場のマス類を釣るときに顕著に現れており、釣人は魚の興味を引くように様々な工夫をしているが、ルアーフィッシングに於ては、魚が警戒しないようにできるだけ離れた処からルアーを投入して、比較的容易に食い付きが行えるようにルアーの大きさを小さくする釣法が有効になっている。そして、ルアーをゆっくりと動かして長い時間魚にルアーを見せることで、魚の興味を誘っている。
【０００３】
而して、このような釣りは、多くはスプーン型ルアー（スプーン頭部に似た金属等の板体をルアー本体とするルアー）が使用され、ステンレス，真鍮等の比重７〜８程の金属で成形された本体重量０．８〜４ｇの小型で軽いルアーが用いられている。このうち、比較的重量の重いルアーはある程度以上の飛距離を投げることができるため、遠くの警戒心のない魚を相手に釣りをすることができる。
【０００４】
【発明が解決しようとする課題】
しかし乍ら、このように重量の大きいルアーは見かけが大きく、また、着水音も大きいために魚を威かしがちで、警戒心のない魚でも比較的早く興味を示さなくなり、根掛りも多い。
一方、沈下速度の遅い軽いルアーを用いると逆に飛距離が得られず、近くにいる強い警戒心を持った食いの悪い魚ばかりを相手にすることとなり、また、魚にルアーを追わせるための十分な誘いの距離が取れないという欠点があった。
【０００５】
このように、常に同じ重さや大きさのルアーが、その形態に応じた距離に投げ込まれるため、その距離に応じて魚の警戒度合いが形成されてしまう。
従って、例えば同じ大きさのルアーが多く投げ込まれる距離に軽く小さいルアーを投入できれば、警戒されずにより多くの魚を釣ることができることになるが、このような釣り方は相当の経験を積んだ釣人でないとできないのが実情であった。
【表１】
2004033025.tif 000003
表１は、６種類の「従来ルアー１〜６」を八分の力でキャスティングした際の飛距離を調べ、そして、夫々の投入される距離でどの程度魚の食いがあるか、夫々のルアーをその距離に１０投ずつ投入して釣りを行い、魚の当たりの回数を調べた実験結果である。
尚、この実験ではルアーに釣針を止着せずに投入し、通常の釣りと同様にルアーを引いて、魚がルアーに触れた回数を感じ取って当たりの回数をカウントした。従って、１回の投入で複数回の当たりがあることもある。また、釣糸は４ポンドラインを使用した。
【０００６】
本発明は斯かる実情に鑑み案出されたもので、既述した実験で用いた本体重量０．８〜４ｇの小型で軽いスプーン型のルアーに改良を加え、従来に比し釣果の向上を図ったルアーを提供することを目的とする。
【０００７】
【課題を解決するための手段】
斯かる目的を達成するため、請求項１に係る発明は、本体重量０．８〜４ｇのルアー本体からなるスプーン型のルアーに於て、上記ルアー本体を比重１４以上の材料で成形し、ルアー本体側面の投影面積（ｍｍ２）をルアー本体重量（ｇ）で除した値を、３０〜８０の範囲としたことを特徴とする。
【０００８】
そして、請求項２に係る発明は、請求項１記載のルアーに於て、ルアー本体の前後長さの中央より後部側に、ルアー本体の最大幅部を設けたことを特徴とし、請求項３に係る発明は、請求項１または請求項２記載のルアーに於て、ルアー本体の肉厚を、０．８ｍｍ以上としたことを特徴とする。
また、請求項４に係る発明は、請求項１乃至請求項３のいずれか１項に記載のルアーに於て、ルアー本体に１以上の仕掛け止着孔を設けると共に、当該仕掛け止着孔の少なくとも１つの周縁部に、肉盛り部を設けたことを特徴とする。
【０００９】
（作用）
請求項１に係る発明によれば、従来、同じ重さのルアーが多く投げ込まれていた距離に小さいルアーが投入でき、請求項２に係る発明によれば、最大幅部が水の抵抗を大きく受けてルアーの沈下速度が遅くなる。
そして、請求項３に係る発明によれば、ルアー本体の肉厚を０．８ｍｍ以上の厚肉とすることでルアー本体の破損がなくなり、また、請求項４に係る発明によれば、スプリットリング等の連結部材の止着時に肉盛り部が仕掛け止着孔の周縁部の破損を防止し、また、キャスティング時にルアーが石等に当たっても、肉盛り部が仕掛け止着孔周縁部の破損を防止する。
【００１０】
【発明の実施の形態】
以下、本発明の実施形態を図面に基づいて詳細に説明する。
図１乃至図３は請求項１乃至請求項４の一実施形態に係るスプーン型のルアーを示し、図中、１は粉末冶金法で成形された比重１４のタングステン合金（７０ｗ−２８Ｎｉ−２Ｆｅ）からなるプレート状のルアー本体で、図１及び図２に示すように当該ルアー本体１は、その前部３から後部５までの長さの中央（図２中、Ｌはルアー本体１の前部３から後部５までの長さの中央Ｏを通る中心線）より後部５側に、ルアー本体１の最大幅部（最大幅ｍ）７が設けられた恰もティースプーンのスプーン頭部の如き平面視卵形状に成形され、前部３と後部５に、夫々、仕掛け止着孔９，１１が設けられている。
【００１１】
また、ルアー本体１は、図３に示すようにその前後方向及び幅方向ともに表側面（左側面）１３側が凸状に、そして、裏側面（右側面）１５側が凹状となるように湾曲し、前部３側がやや上向きに折り返された断面形状となっており、既述した最大幅部７の中央部分が最も外方へ突出している。
そして、スプーン本体１の表側面１３に、魚の食いを誘うように絵柄やシール，細かい凹凸状または鏡面状の反射面等が形成されて、後述する肉盛り部１７を除いたルアー本体１の肉厚が０．８ｍｍ，本体重量（Ｇ）が０．８ｇ、そして、側面投影面積（Ｓ）が６４ｍｍ２　　で、側面投影面積（Ｓ）を本体重量（Ｇ）で除した値（Ｓ／Ｇ）が８０に設定されている。
【００１２】
ここで、ルアー本体１の側面投影面積（Ｓ）とは、ルアー本体１の表側面１３または裏側面１５を上向きにしてルアー本体１を平面（投影面）上に載置した後、その平面と直交する方向からルアー本体１に光を照射した際に、その平面上に投影される影の面積をいい、ルアー本体１は、表１の「従来ルアー１」と同一の本体重量（０．８ｇ）であるにも拘わらず、真鍮より比重の大きいタングステン合金で成形されているため、側面投影面積（Ｓ）、言い換えれば見かけの大きさが表１の従来ルアー１に比し小さく、側面投影面積（Ｓ）を本体重量（Ｇ）で除した値（Ｓ／Ｇ）が著しく小さくなっている。
【００１３】
そして、前部３側の仕掛け止着孔９にスプリットリング１９を介してライン（図示せず）が接続され、また、後部５側の仕掛け止着孔１１にスプリットリング１９を介して釣針２１が止着されるが、仕掛け止着孔１１の周縁部には、スプリットリング１９の止着時やルアー２３を石等に当てたときに破損しないように、他の部分より肉厚に縁取った肉盛り部１７が、当該周縁部に沿って表側面１３側に突設されている。
【００１４】
即ち、粉末冶金法で焼結させたタングステンやタングステン合金は硬度が大きいため、スプリットリングの止着時やルアーを石等に当てた時でも、仕掛け止着孔の周縁部が破損しないようにしておく必要がある。
そこで、本実施形態は、上述の如き肉盛り部１７を仕掛け止着孔１１の周縁部に設け、また、同時にルアー本体１の肉厚を０．８ｍｍに成形して、ルアー本体１の破損を防止している。
【００１５】
尚、肉盛り部は前部３側の仕掛け止着孔９の周縁部にも設けてもよいが、少なくとも肉盛り部は仕掛け止着孔１１の後端側に設けることが必要である。また、肉盛り部は、合成樹脂やゴム，ルアー本体と異なる金属等、ルアー本体より柔らかい材料で形成してもよい。
但し、ルアー本体が厚肉で破損の虞がない場合には、図４に示す請求項１乃至請求項３の一実施形態に於けるルアー本体２５のように、仕掛け止着孔１１の周縁部に薄肉部２７を設けてもよく、この構成によれば、スプリットリングの取付けが容易となる。
【００１６】
また、ルアー２３は既述した構成に加え、裏側面１５側の凹状部の深さ（図３中、ｎ）をルアー本体１の最大幅部７に於て０．５ｍｍ以上とし、そして、当該凹状部の最深部を最大幅部７の前方３ｍｍ，後方３ｍｍ以内に亘って設けて最大幅部７と一致させることで、ルアーを引いている時の水の抵抗を大きくして沈下速度を遅くし、魚の食いを誘うようにしている。
【００１７】
図１乃至図３に係るルアー２３はこのように構成されているから、スプリットリング１９を介して仕掛け止着孔９にラインを接続し、仕掛け止着孔１１にスプリットリング１９を介して釣針２１を止着すればよく、水中に投下されたルアー２３は、最大幅部７が水の抵抗を大きく受けて沈下速度が遅くなる。
そして、スプリットリング１９の止着時に、肉盛り部１７が仕掛け止着孔１１の周縁部の破損を防止し、また、キャスティング時にルアー２３が石等に当たっても、肉盛り部１７が仕掛け止着孔１１の周縁部の破損を防止する。
【００１８】
また、ルアー本体１は真鍮やステンレスより比重の大きいタングステン合金で成形されているため、既述したようにルアー本体１は、表１の「従来ルアー１」と同一の本体重量（０．８ｇ）でありながら、ルアー２３全体の小型化が図られる。
従って、初心者であっても、本実施形態によれば、従来、同じ重さのルアーが多く投げ込まれていた距離に小さいルアー２３が投入できるため、魚に警戒されずにより多くの魚を釣ることができる利点を有する。
【表２】
2004033025.tif 000004
表２は本実施形態に係るルアー２３（表２の「本発明ルアー１」）と同一材料を用いて、当該ルアー２３と相似形状の２つのルアー（「本発明ルアー２」，「本発明ルアー３」）を製造し、表１の「従来ルアー」と魚の当たり回数を比較した実験結果で、表２に示すように、
「本発明ルアー２」
本体重量（Ｇ）：２．０ｇ
側面投影面積（Ｓ）：１４４ｍｍ２
Ｓ／Ｇ：７２
「本発明ルアー３」
本体重量（Ｇ）：４．０ｇ
側面投影面積（Ｓ）：２００ｍｍ２
Ｓ／Ｇ：５０
に製造されている。
【００１９】
尚、既述したようにこれらのルアーはルアー２３と相似形状で、その肉厚は重量に応じ０．８ｍｍ以上とされ、また、肉盛り部を後部側の仕掛け止着孔の周縁部に設けて、ルアー本体の破損防止が図られている。
而して、表２から明らかなように、ルアー２３（「本発明ルアー１」），「本発明ルアー２」及び「本発明ルアー３」は、夫々、表１の「従来ルアー１，４，６」に対応し、ルアー２３は「従来ルアー１」と同一の本体重量（０．８ｇ）、「本発明ルアー２」は「従来ルアー４」と同一の本体重量（２．０ｇ）、そして、「本発明ルアー３」は「従来ルアー６」と同一の本体重量（４．０ｇ）でありながら、総てのルアーに於て、当たり回数が増加している。
【００２０】
この実験結果からも、本実施形態によれば、「従来ルアー１，４，６」と同一の本体重量でありながら、従来に比しルアー本体の小型化（小さな側面投影面積）が図られているため、同じ重さのルアーが多く投げ込まれる距離に小さいルアーの投入が容易となって、魚に警戒されずに従来より多くの魚を釣ることができることが明らかである。
【００２１】
また、ルアー２３は、水中投下後、引かれている状態で前部３に対し後部５側が下がった姿勢となり、最大幅部７が水の抵抗を大きく受けて沈下速度が遅くなるため、本実施形態によれば、ルアー２３を容易にゆっくりと引くことができると共に、釣竿を持ち上げて水面に対する釣糸角度を大きくすると、よりルアー２３の後部５側が下がった姿勢となって、初心者でもルアー２３を沈下させることなくゆっくり引くことができる利点を有する。
【００２２】
更にまた、本実施形態によれば、ルアー本体２３の０．８ｍｍの肉厚と既述した肉盛り部１７とによって、ルアー本体２３や仕掛け止着孔１１の周縁部の破損を防止することができる。
【表３】
2004033025.tif 000005
表３は比重１６のタングステン合金（８６Ｗ−２Ｎｉ−２Ｃｕ−１Ｃｏ−１０Ｆｅ）を用いて、既述したルアー２３と相似形状の３つのルアー（「本発明ルアー４〜６」）を製造して、表１の「従来ルアー１，４，６」と魚の当たり回数を比較した実験結果で、表３に示すように、
「本発明ルアー４」
本体重量（Ｇ）：０．８ｇ
側面投影面積（Ｓ）：５６ｍｍ２
Ｓ／Ｇ：５６
「本発明ルアー５」
本体重量（Ｇ）：２．０ｇ
側面投影面積（Ｓ）：１２４ｍｍ２
Ｓ／Ｇ：６２
「本発明ルアー６」
本体重量（Ｇ）：４．０ｇ
側面投影面積（Ｓ）：１７０ｍｍ２
Ｓ／Ｇ：４２．５
に製造されている。
【００２３】
尚、これらのルアーも、その肉厚は重量に応じ０．８ｍｍ以上とされ、また、肉盛り部を後部側の仕掛け止着孔の周縁部に設けて、ルアー本体の破損防止が図られている。
而して、表３の実験結果から明らかなように、「本発明ルアー４〜６」は、夫々、表１の「従来ルアー１，４，６」と同一の本体重量でありながら、従来に比し総てのルアーに於て、当たり回数が２倍以上に増加している。
【００２４】
この実験結果から、これらの実施形態によっても、従来のルアーと同一の本体重量でありながら、真鍮より比重の大きいタングステン合金で成形してルアー本体の小型化が図られているため、同じ重さのルアーが多く投げ込まれる距離に小さいルアーの投入が容易となって、魚に警戒されずにより多くの魚を釣ることができることが明らかである。
【表４】
2004033025.tif 000006
更にまた、表４は比重１９のタングステン合金（９９Ｗ−１Ｎｉ）を用いて、既述したルアー２３と相似形状の３つのルアー（「本発明ルアー７〜９」）を製造して、表１の「従来ルアー１，４，６」と魚の当たり回数を比較した実験結果で、表４に示すように、
「本発明ルアー７」
本体重量（Ｇ）：０．８ｇ
側面投影面積（Ｓ）：４０ｍｍ２
Ｓ／Ｇ：５０
「本発明ルアー８」
本体重量（Ｇ）：２．０ｇ
側面投影面積（Ｓ）：８０ｍｍ２
Ｓ／Ｇ：４０
「本発明ルアー６」
本体重量（Ｇ）：４．０ｇ
側面投影面積（Ｓ）：８０ｍｍ２
Ｓ／Ｇ：３０
に製造されている。
【００２５】
尚、これらのルアーも、その肉厚は重量に応じ０．８ｍｍ以上とされ、また、肉盛り部を後部側の仕掛け止着孔の周縁部に設けて、ルアー本体の破損防止が図られている。
而して、表４の実験結果から明らかなように、「本発明ルアー７〜９」は、夫々、表１の「従来ルアー１，４，６」と同一の本体重量でありながら、これらの実施形態に於ても、当たり回数が従来の２倍以上に増加している。
【００２６】
この実験結果から、これらの実施形態によっても、従来のルアーと同一の本体重量でありながら、従来に比しルアー本体の小型化が図られているため、同じ重さのルアーが多く投げ込まれる距離に小さいルアーの投入が容易となって、魚に警戒されずにより多くの魚を釣ることができることが明らかとなった。
【００２７】
尚、上述した各実施形態では、ルアー本体を夫々タングステン合金で製造したが、その他の金属材料としてタングステンやタンタルを用いてもよいことは勿論、金属以外の材料を用いてもよい。
また、上述した各実施形態では、ルアー本体を、夫々、表１の「従来ルアー１，４，６」と同一の本体重量に成形して側面投影面積を少なくしたが、ルアー本体が従来のルアー本体と同じ大きさであれば、本体重量を大きくできることとなって、従来では届かなかった処の魚を従来のルアーより見かけの小さいルアーで誘うことができることとなって、魚の食いがよくなり釣果が向上する。
【００２８】
【発明の効果】
以上述べたように、各請求項に係る発明によれば、初心者であっても、従来、同じ重さのルアーが多く投げ込まれていた距離に小さいルアーが投入できるため、魚に警戒されずにより多くの魚を釣ることができる利点を有する。
そして、請求項２に係る発明によれば、水中投下後、最大幅部が水の抵抗を大きく受けて沈下速度が遅くなるため、ルアーを容易にゆっくりと引くことができると共に、釣竿を持ち上げて水面に対する釣糸角度を大きくすると、初心者でもルアーを沈下させることなくゆっくり引くことができる利点を有する。
【００２９】
また、請求項３及び請求項４に係る発明によれば、ルアー本体の肉厚を０．８ｍｍに成形したり肉盛り部を設けることで、キャスティングやスプリットリング等の連結部材の止着時に、ルアー本体や仕掛け止着孔周縁部の破損を防止することができる。
【図面の簡単な説明】
【図１】
請求項１乃至請求項４の一実施形態に係るルアーの側面図である。
【図２】
ルアー本体の側面図である。
【図３】
図２のＩＩＩ−ＩＩＩ線断面図である。
【図４】
請求項１乃至請求項３の一実施形態に於けるルアー本体の断面図である。
【符号の説明】
１，２５　ルアー本体
７　最大幅部
９，１１　仕掛け止着孔
１３　表側面
１５　裏側面
１７　肉盛り部
２３　ルアー
２７　薄肉部
【図１】
2004033025.tif 000007
【図２】
2004033025.tif 000008
【図３】
2004033025.tif 000009
【図４】
2004033025.tif 000010